(57)【要約】    【課題】  多値記録型の不揮発性記録装置を撮像装置の記録装置として採用し、利用者が信頼性の低い多値記録型で記録した場合、利用者の撮影したデータが経年や環境変化により信頼性の低下により、データが壊れることを伴うこととなり、また、利用者が全てのデータを２値記録型ですると、利用者は記録装置の大容量化のメリットを受けることが出来ないという問題があった。    【解決手段】  撮像装置によって撮影された撮像データは２値記録型で記録し、既に記録されている撮像データから、その一部もしくは全体を複製もしくは加工したデータを上記記録装置内に記録する場合は、多値型で記録する。また、既に記録されている撮像データから、その一部もしくは全体を複製もしくは加工したデータを上記記録装置内に記録する場合において、利用者の操作により、２値型で記録することを選択可能とする。【選択図】  図１
2015014901.tif 000002
【特許請求の範囲】
【請求項１】
２値または３値以上の多値データを記録可能なメモリセルトランジスタが複数配列されたメモリアレイ領域を有する不揮発性記録装置を内蔵記録装置として有する撮像装置であって、撮影データを上記内蔵記録装置に記録する場合は２値記録型で記録し、撮影データの一部もしくは全体の複製や加工したデータを上記内蔵記録装置に別途記録する場合は、３値以上の多値記録型で記録することを特徴とする撮像装置。
【請求項２】
撮影データの一部もしくは全体の複製や加工したデータを上記内蔵記録装置に別途記録する場合においても、操作により２値記録型で記録することを選択することが可能なことを特徴とする請求項１に記載の撮像装置。
【発明の詳細な説明】
【技術分野】
【０００１】
本発明は撮像装置に関し、特に、撮影した画像を２値メモリと多値メモリに記録する装置に関する。
【背景技術】
【０００２】
従来、フラッシュメモリ等の不揮発性半導体記録装置は、２値のデータを記録する２値記録型のメモリセル構造（２値メモリ）が通常であったが、大容量化への技術として、一つのメモリセルに３値以上のデータを記録する多値記録型のメモリ（多値メモリ）が提案されている(特許文献１、特許文献２参照）。
【０００３】
また、近年の撮像装置は、高画質動画を記録可能な物が多く、高画質動画の容量の大きさから、撮像装置の記録装置として、多値記録型の不揮発性半導体記録装置の利用が広まってくることが予想される。
【０００４】
一般的に、多値記録を行うと、記録容量は増大するが、書き変え保証回数や、データの保持年数等の信頼性に関わるパラメータが低下が生じる。
【先行技術文献】
【特許文献】
【０００５】
【特許文献１】特開2000-173281号公報
【特許文献２】特開平11-176178号公報
【発明の概要】
【発明が解決しようとする課題】
【０００６】
上記、多値記録型の不揮発性記録装置を撮像装置の記録装置として採用し、利用者が信頼性の低い多値記録型で記録した場合、利用者の撮影したデータが経年や環境変化により信頼性の低下により、データが壊れることを伴うこととなり、また、利用者が全てのデータを２値記録型ですると、利用者は記録装置の大容量化のメリットを受けることが出来ないという問題があった。
【課題を解決するための手段】
【０００７】
本発明の多値記録可能な記録装置を持つ撮像装置は、撮像装置によって撮影された撮像データは２値記録型で記録し、既に記録されている撮像データから、その一部もしくは全体を複製もしくは加工したデータを上記記録装置内に記録する場合は、多値型で記録することを特徴としている。
【０００８】
また、本発明のその他の特徴とするところは、上記撮像装置において、既に記録されている撮像データから、その一部もしくは全体を複製もしくは加工したデータを上記記録装置内に記録する場合において、利用者の操作により、２値型で記録することを選択可能であることを特徴としている。
【発明の効果】
【０００９】
以上説明したように、本発明によれば、撮像データを信頼性の高い２値型で記録し、撮像データから複製・加工され、別途記録されるデータはメモリ消費量の少ない多値型で記録することにより、利用者は撮像データの高信頼性を保ちながら多値記録型の不揮発性半導体記録装置を使用した大容量記録装置を使用することが可能となる。
【図面の簡単な説明】
【００１０】
【図１】本発明の実施形態における撮像装置のブロック図である。
【図２】本発明の実施形態におけるフローチャートである。
【図３】本発明の実施形態におけるフローチャートである。
【発明を実施するための形態】
【００１１】
＜第１の実施形態＞
図１は本発明の実施形態の撮像装置を示すブロック図である。図２は本発明の第１の実施形態のフローチャートである。
【００１２】
本実施形態の撮像装置の撮影モードにおいて、動画・静止画撮影を行った場合、撮像データはA/D変換器４画像処理部５での処理のあと、多値記録方記録装置６に記録される。この時、制御マイコン８は多値記録型記録装置に対し、撮像データを２値型で記録する。これにより、撮影者によって撮影された撮像データは、高信頼性が保たれる。
【００１３】
また、動画撮影可能な撮像装置には、撮影された動画のシーンから静止画を作成する機能を有するものが多く存在している。その静止画作成機能に関しては、再生動画から秒間数１０コマ以上の静止画を作成可能な装置もあり、その場合、数１００枚の静止画を作成することも可能で、スポーツシーンの連続写真を動画から切り出す利用者も多い。
【００１４】
また、撮影された動画のシーンの一部から新たな動画コンテンツを作成する機能を有する撮像装置も存在している。
【００１５】
すなわち、撮像装置の多機能化により、撮影されたデータから新規に作成されるデータも多様化し、記録装置の使用量も多くなっている。
【００１６】
そこで、本実施形態の撮像装置では、動画再生モードにおいて、既に記録装置に記録されている撮像データから、例えば動画の１シーンの静止画を作成し、静止画のデータをを新規に作成したり、数秒の動画のデータを新規に作成する場合、制御マイコン８は多値記録型記録装置６から撮像データを読み出し、画像処理部５により静止画・動画データを作成し、多値記録型記録装置６に多値型で記録する。これにより、利用者は記録容量の有効利用を優先することが可能となる。
【００１７】
また、すでに記録装置に記録されている撮像データから、静止画や動画コンテンツを作成する場合においても信頼性の高い記録方式を望む利用者もいると考えられる。そこで、撮像装置のメニュー内に、複製データの高信頼性モードを設けるといった方法もある。この場合、撮像装置の設定メニュー内に設けられた高信頼性モードの選択を、利用者は表示部１５を見ながら操作部１７を操作し有効にする。
【００１８】
高信頼性モードが有効の時、制御マイコン８は既に記録装置に記録されている撮像データから、静止画や動画コンテンツを作成し、多値記録型記録装置６に記録する時は、２値型で記録する。
【００１９】
＜第２の実施形態＞
図３は、本発明の第２の実施形態のフローチャートをである。
【００２０】
撮像装置には、撮像データはＨＤ（High Definition）画質で記録する撮像装置であっても、記録されたＨＤ画質の撮像データをの動画コンテンツをＷＥＢアップロードやＤＶＤへの保存を目的としてＳＤ（Standard Definition）画質へのダウンコンバート処理機能を有する撮像装置もある。
【００２１】
前記撮像装置において、ＨＤ画質で撮影された動画シーンを、ＳＤ画質へ変換し保存する場合において、制御マイコン８は多値記録型記録装置６からＨＤ画質撮像データを読み込み、画像処理部５によりＳＤ画質への変換処理がなされ、ＳＤ画質の新たな動画コンテンツを多値記録型記録装置６へ多値型にて記録する。これにより、利用者は記録容量の有効利用を優先することが可能となる。
【００２２】
また、第１の実施形態同様、利用者により複製データの高信頼性モードが有効となっている場合はマイコン８は画像処理部５にてＳＤ画質へ変換された動画コンテンツにを２値型にて多値記録型記録装置へ記録する。
【００２３】
以上、本発明をその好適な実施形態に基づいて詳述してきたが、本発明はこれら特定の実施形態に限られるものではなく、この発明の要旨を逸脱しない範囲の様々な形態も本発明に含まれる。上述の実施形態の一部を適宜組み合わせてもよい。
【符号の説明】
【００２４】
６・・・多値記録型記録装置
８・・・制御マイコン
【図１】
2015014901.tif 000003
【図２】
2015014901.tif 000004
【図３】
2015014901.tif 000005